(57)【要約】【課題】トリップロック用の端子に対する短絡片の外し及び接続作業に際して、操作の失念及び操作間違いを確実に防止可能にすること。【解決手段】短絡片に端子の識別データを記憶するＩＣタグを搭載しておき、短絡片を個々に収納する管理装置を設ける。管理装置とデータ通信する作業支援装置は、短絡片の外し作業に際して、そのＩＣタグから識別データを読み取って意図する短絡片であるかを確かめ（外し照合処理：ＡＣＴ１１）、管理装置にＩＣタグから識別データを読み取らせて意図する短絡片が収納されたことを確認する（収納処理：ＡＣＴ１４）。短絡片の接続作業に際しては、管理装置にＩＣタグから識別データを読み取らせて意図する短絡片の位置を報知させ（位置報知処理：ＡＣＴ２１）、端子に接続した短絡片のＩＣタグから識別データを読み取って意図する短絡片であるかを確かめる（接続照合処理：ＡＣＴ２３）。【選択図】図１３
2013038851.tif 000002
【特許請求の範囲】
【請求項１】
継電器のトリップロック用に複数個設けられた一対の端子に着脱自在に掛け渡されて締め付け固定され、接続する前記端子の識別データを記憶するＩＣタグを搭載した複数個の短絡片と、
前記短絡片を個々に収納し、収納した前記短絡片が搭載する前記ＩＣタグから識別データを読み取る管理リーダと個々の前記短絡片の位置を報知する位置報知部とを有する管理装置と、
前記ＩＣタグから識別データを読み取る端末リーダと情報処理を実行する情報処理部とを有する作業支援装置と、
前記管理装置と前記作業支援装置との間のデータ通信を実行する通信部と、
前記作業支援装置の情報処理部が、識別データで特定する前記端子に対する前記短絡片の外し及び接続の指示を含む作業データを記憶領域に記憶する手段と、
前記作業支援装置の情報処理部が、前記作業データに含まれている前記短絡片の外し指示に従い、前記端子から外そうとする前記短絡片が搭載する前記ＩＣタグから前記端末リーダで読み取った識別データが当該外し指示で指定する識別データであるか照合する外し照合処理と、前記管理装置が前記管理リーダによって前記ＩＣタグから読み取った識別データが当該外し指示で指定する識別データであるか照合する収納照合処理と、を実行する手段と、
前記作業支援装置の情報処理部が、前記作業データに含まれている前記短絡片の接続指示に従い、前記管理リーダによって読み取った当該接続指示で指定する識別データを記憶する前記ＩＣタグを搭載する前記短絡片の位置を前記位置報知部によって報知させる処理を前記管理装置に実行させる位置報知処理と、前記端子に接続した前記短絡片が搭載する前記ＩＣタグから前記端末リーダで読み取った識別データが当該接続指示で指定する識別データであるか照合する接続照合処理と、を実行する手段と、
を備えることを特徴とする保護継電器のトリップロック端子管理システム。
【請求項２】
前記端子の端子台と前記短絡片とには、前記ＩＣタグが記憶する識別データによって識別される前記端子と当該ＩＣタグを搭載する前記短絡片とにおいてのみ形状が適合し嵌合する嵌合部が形成されている、
ことを特徴とする請求項１に記載の保護継電器のトリップロック端子管理システム。
【請求項３】
前記ＩＣタグは、前記端子に接続された状態で正面を向く前記短絡片の読取面に対して出没自在で、前記読取面から離反する方向に付勢され、前記短絡片が前記端子に締め付け固定されるに従い前記端子の端子台に押されて前記読取面に出現するように保持され、
前記端末リーダは、前記ＩＣタグが前記読取面から没した場合には通信不可能で前記読取面に出現すると通信可能となる通信距離に設定された密着型の近距離無線通信方式を用いて前記ＩＣタグから識別データを読み取る、
ことを特徴とする請求項１又は２に記載の保護継電器のトリップロック端子管理システム。
【請求項４】
前記短絡片は、前記読取面に対して出没する前記ＩＣタグの移動運動を回転運動に変換する変換機構を備え、
前記短絡片の前記読取面と前記ＩＣタグとには、前記短絡片が前記端子に正しく締め付け固定された状態で位置合わせされる表示器を備える、
ことを特徴とする請求項３又は４に記載の保護継電器のトリップロック端子管理システム。
【請求項５】
前記管理装置は、前記短絡片を横向きに収納保持し、その収納動作に応じて前記ＩＣタグの裏面側との当接を深めて当該ＩＣタグを前記読取面に出現させ、
前記管理リーダは、前記ＩＣタグが前記読取面から没した場合には通信不可能で前記読取面に出現すると通信可能となる通信距離に設定された密着型の近距離無線通信方式を用いて前記ＩＣタグから識別データを読み取る、
ことを特徴とする請求項３又は４に記載の保護継電器のトリップロック端子管理システム。
【請求項６】
前記作業支援装置は、五感で感受可能な報知を行なう報知部を備え、
前記作業支援装置の情報処理部は、前記作業データに含まれている前記短絡片の外し及び接続の指示の作業手順のガイダンスを前記報知部に報知させる処理を実行する、
ことを特徴とする請求項１ないし５のいずれか一に記載の保護継電器のトリップロック端子管理システム。
【請求項７】
継電器のトリップロック用に複数個設けられた一対の端子に着脱自在に掛け渡されて締め付け固定され、接続する前記端子の識別データを記憶するＩＣタグを搭載した複数個の短絡片と、
前記短絡片を個々に収納し、収納した前記短絡片が搭載する前記ＩＣタグから識別データを読み取る管理リーダと個々の前記短絡片の位置を報知する位置報知部とを有する管理装置と、
前記ＩＣタグから識別データを読み取る端末リーダと情報処理を実行する情報処理部とを有する作業支援装置と、
前記管理装置と前記作業支援装置との間のデータ通信を実行する通信部と、
を備えるシステムを利用したトリップロック端子管理方法であって、
前記作業支援装置の情報処理部が、識別データで特定する前記端子に対する前記短絡片の外し及び接続の指示を含む作業データを記憶領域に記憶する工程と、
前記作業支援装置の情報処理部が、前記作業データに含まれている前記短絡片の外し指示に従い、前記端子から外そうとする前記短絡片が搭載する前記ＩＣタグから前記端末リーダで読み取った識別データが当該外し指示で指定する識別データであるか照合する外し照合処理と、前記管理装置が前記管理リーダによって前記ＩＣタグから読み取った識別データが当該外し指示で指定する識別データであるか照合する収納照合処理と、を実行する工程と、
前記作業支援装置の情報処理部が、前記作業データに含まれている前記短絡片の接続指示に従い、前記管理リーダによって読み取った当該接続指示で指定する識別データを記憶する前記ＩＣタグを搭載する前記短絡片の位置を前記位置報知部によって報知させる処理を前記管理装置に実行させる位置報知処理と、前記端子に接続した前記短絡片が搭載する前記ＩＣタグから前記端末リーダで読み取った識別データが当該接続指示で指定する識別データであるか照合する接続照合処理と、を実行する工程と、
を備えることを特徴とする保護継電器のトリップロック端子管理方法。
【請求項８】
継電器のトリップロック用に複数個設けられた一対の端子に着脱自在に掛け渡されて締め付け固定され、接続する前記端子の識別データを記憶するＩＣタグを搭載した複数個の短絡片と、
前記短絡片を個々に収納し、収納した前記短絡片が搭載する前記ＩＣタグから識別データを読み取る管理リーダと個々の前記短絡片の位置を報知する位置報知部とを有する管理装置と、
前記ＩＣタグから識別データを読み取る端末リーダと情報処理を実行する情報処理部とを有する作業支援装置と、
前記管理装置と前記作業支援装置との間のデータ通信を実行する通信部と、
を備えるシステムの前記作業支援装置に搭載されたコンピュータにインストールされ、当該コンピュータに、
識別データで特定する前記端子に対する前記短絡片の外し及び接続の指示を含む作業データを記憶領域に記憶する機能と、
前記作業データに含まれている前記短絡片の外し指示に従い、前記端子から外そうとする前記短絡片が搭載する前記ＩＣタグから前記端末リーダで読み取った識別データが当該外し指示で指定する識別データであるか照合する外し照合処理と、前記管理装置が前記管理リーダによって前記ＩＣタグから読み取った識別データが当該外し指示で指定する識別データであるか照合する収納照合処理と、を実行する機能と、
前記作業データに含まれている前記短絡片の接続指示に従い、前記管理リーダによって読み取った当該接続指示で指定する識別データを記憶する前記ＩＣタグを搭載する前記短絡片の位置を前記位置報知部によって報知させる処理を前記管理装置に実行させる位置報知処理と、前記端子に接続した前記短絡片が搭載する前記ＩＣタグから前記端末リーダで読み取った識別データが当該接続指示で指定する識別データであるか照合する接続照合処理と、を実行する機能と、
を実行させることを特徴とするコンピュータプログラム。
【発明の詳細な説明】
【技術分野】
【０００１】
本発明は、保護継電器のトリップロック端子とこれを断続する短絡片とを一対一で対応付け、短絡片の外し及び接続の作業が正しく行われているかどうかを確認可能とすることで、反射的にトリップロック端子の状態を管理できるようにしたシステム、方法、プログラムに関する。
【背景技術】
【０００２】
発変電所では、電力保護制御回路として、保護継電器と遮断器とを含む回路が採用されている。保護継電器は、入力された電流データ又は電圧データに異常がある場合に遮断器を動作させ、負荷側電路の負荷側機器に対する接続を遮断する。この時に用いられるのが、保護継電器と遮断器との間に配置されているトリップロック端子である。トリップロック端子は、常時は短絡片が接続されて閉路とされ、異常時や定期点検時には短絡片が外されて閉路（ロック）にされる。このような保護継電器のトリップロック端子については、例えば特許文献１に詳しく記載されている。
【０００３】
保護継電器のトリップロック端子に対して短絡片を外したり接続したりする場合、多くの保護継電器の中から操作対象となる保護継電器を特定し、その後、多くのトリップロック端子の中から操作対象となるトリップロック端子を特定しなければならない。このため、そのための作業に際して、長い時間が費やされてしまったり、必要な操作を失念してしまったり、更には操作間違いが発生してしまったりするという不都合が生じ易い。このような不都合の発生は、需要家に多大な迷惑が及んだり、電力系統に悪影響を及ぼしたりすることにつながりかねないため、その有効な防止策が望まれるところである。
【０００４】
このような観点から、本出願の発明者が先行技術を調査した結果、特許文献２を見出した。この文献には、電力設備に設けられている操作対象機器に対する操作を効率よく行なえるようにすることを解決課題として、操作指示データを記憶する通信端末と、作業員により携帯される携帯型電子端末と、現場に存在する機器に付されて当該機器の識別データ（機器ごとに固有の識別子）を登録するＩＣタグとを用いたシステムが記載されている。このシステムは、通信端末から操作指示データをダウンロードした携帯型電子端末において、現場に配置されたＩＣタグから識別データを読み出し、その識別データによって特定される機器が操作指示データに設定されている操作対象の機器であるかどうかを判別し、その結果を表示装置に表示するというものである。つまり、ＩＣタグから識別データを読み出すことによって、操作対象となっている機器を効率よく探し出すことができるようシステム構成されているわけである。
【先行技術文献】
【特許文献】
【０００５】
【特許文献１】特開２０１１−０６０５８８公報
【特許文献２】特開２００５−２５１０３２公報
【発明の概要】
【発明が解決しようとする課題】
【０００６】
特許文献２に記載されているＩＣタグを用いた操作対象機器の特定技術は、トリップロック端子を操作対象とする場合にも、大いに役立つものと思われる。しかしながら、トリップロック端子は、短絡片を外したり接続したりするという特有の構造を有している。このため、特許文献２に記載されている技術を単純に適用しただけでは、意図するトリップロック端子から短絡片を外したかどうか、あるいは意図するトリップロック端子に対して短絡片を接続させたかどうかどうかという、作業の適切さについてまでは判断できない。このため、操作の失念や操作間違いという問題の解決に至らない。
【０００７】
本発明は、このような点に鑑みなされたもので、トリップロック用の端子に対する短絡片の外し及び接続作業に際して、作業の適切さの判断にまで踏み込むことで、操作の失念及び操作間違いを確実に防止できるようにすることを目的とする。
【課題を解決するための手段】
【０００８】
本発明の保護継電器のトリップロック端子管理システムは、継電器のトリップロック用に複数個設けられた一対の端子に着脱自在に掛け渡されて締め付け固定され、接続する前記端子の識別データを記憶するＩＣタグを搭載した複数個の短絡片と、前記短絡片を個々に収納し、収納した前記短絡片が搭載する前記ＩＣタグから識別データを読み取る管理リーダと個々の前記短絡片の位置を報知する位置報知部とを有する管理装置と、前記ＩＣタグから識別データを読み取る端末リーダと情報処理を実行する情報処理部とを有する作業支援装置と、前記管理装置と前記作業支援装置との間のデータ通信を実行する通信部と、前記作業支援装置の情報処理部が、識別データで特定する前記端子に対する前記短絡片の外し及び接続の指示を含む作業データを記憶領域に記憶する手段と、前記作業支援装置の情報処理部が、前記作業データに含まれている前記短絡片の外し指示に従い、前記端子から外そうとする前記短絡片が搭載する前記ＩＣタグから前記端末リーダで読み取った識別データが当該外し指示で指定する識別データであるか照合する外し照合処理と、前記管理装置が前記管理リーダによって前記ＩＣタグから読み取った識別データが当該外し指示で指定する識別データであるか照合する収納照合処理と、を実行する手段と、前記作業支援装置の情報処理部が、前記作業データに含まれている前記短絡片の接続指示に従い、前記管理リーダによって読み取った当該接続指示で指定する識別データを記憶する前記ＩＣタグを搭載する前記短絡片の位置を前記位置報知部によって報知させる処理を前記管理装置に実行させる位置報知処理と、前記端子に接続した前記短絡片が搭載する前記ＩＣタグから前記端末リーダで読み取った識別データが当該接続指示で指定する識別データであるか照合する接続照合処理と、を実行する手段と、を備えることによって上記課題を解決した。
【０００９】
本発明は、また、継電器のトリップロック用に複数個設けられた一対の端子に着脱自在に掛け渡されて締め付け固定され、接続する前記端子の識別データを記憶するＩＣタグを搭載した複数個の短絡片と、前記短絡片を個々に収納し、収納した前記短絡片が搭載する前記ＩＣタグから識別データを読み取る管理リーダと個々の前記短絡片の位置を報知する位置報知部とを有する管理装置と、前記ＩＣタグから識別データを読み取る端末リーダと情報処理を実行する情報処理部とを有する作業支援装置と、前記管理装置と前記作業支援装置との間のデータ通信を実行する通信部と、を備えるシステムを利用したトリップロック端子管理方法であって、前記作業支援装置の情報処理部が、識別データで特定する前記端子に対する前記短絡片の外し及び接続の指示を含む作業データを記憶領域に記憶する工程と、前記作業支援装置の情報処理部が、前記作業データに含まれている前記短絡片の外し指示に従い、前記端子から外そうとする前記短絡片が搭載する前記ＩＣタグから前記端末リーダで読み取った識別データが当該外し指示で指定する識別データであるか照合する外し照合処理と、前記管理装置が前記管理リーダによって前記ＩＣタグから読み取った識別データが当該外し指示で指定する識別データであるか照合する収納照合処理と、を実行する工程と、前記作業支援装置の情報処理部が、前記作業データに含まれている前記短絡片の接続指示に従い、前記管理リーダによって読み取った当該接続指示で指定する識別データを記憶する前記ＩＣタグを搭載する前記短絡片の位置を前記位置報知部によって報知させる処理を前記管理装置に実行させる位置報知処理と、前記端子に接続した前記短絡片が搭載する前記ＩＣタグから前記端末リーダで読み取った識別データが当該接続指示で指定する識別データであるか照合する接続照合処理と、を実行する工程と、を備えることによって上記課題を解決した。
【００１０】
本発明のコンピュータプログラムは、さらに、継電器のトリップロック用に複数個設けられた一対の端子に着脱自在に掛け渡されて締め付け固定され、接続する前記端子の識別データを記憶するＩＣタグを搭載した複数個の短絡片と、前記短絡片を個々に収納し、収納した前記短絡片が搭載する前記ＩＣタグから識別データを読み取る管理リーダと個々の前記短絡片の位置を報知する位置報知部とを有する管理装置と、前記ＩＣタグから識別データを読み取る端末リーダと情報処理を実行する情報処理部とを有する作業支援装置と、前記管理装置と前記作業支援装置との間のデータ通信を実行する通信部と、を備えるシステムの前記作業支援装置に搭載されたコンピュータにインストールされ、当該コンピュータに、識別データで特定する前記端子に対する前記短絡片の外し及び接続の指示を含む作業データを記憶領域に記憶する機能と、前記作業データに含まれている前記短絡片の外し指示に従い、前記端子から外そうとする前記短絡片が搭載する前記ＩＣタグから前記端末リーダで読み取った識別データが当該外し指示で指定する識別データであるか照合する外し照合処理と、前記管理装置が前記管理リーダによって前記ＩＣタグから読み取った識別データが当該外し指示で指定する識別データであるか照合する収納照合処理と、を実行する機能と、前記作業データに含まれている前記短絡片の接続指示に従い、前記管理リーダによって読み取った当該接続指示で指定する識別データを記憶する前記ＩＣタグを搭載する前記短絡片の位置を前記位置報知部によって報知させる処理を前記管理装置に実行させる位置報知処理と、前記端子に接続した前記短絡片が搭載する前記ＩＣタグから前記端末リーダで読み取った識別データが当該接続指示で指定する識別データであるか照合する接続照合処理と、を実行する機能と、を実行させることによって上記課題を解決した。
【発明の効果】
【００１１】
本発明によれば、トリップロック用の端子の側ではなく端子を短絡させる短絡片の側にＩＣタグを搭載し、短絡片の外し作業に際しては端子上での外し照合処理と管理装置上での収納処理、短絡片の接続作業に際しては管理装置上での位置報知処理と端子上での接続照合処理を実行するようにしたので、トリップロック用の端子に対する短絡片の外し及び接続の作業に際して、作業の適切さについてまで判断することができ、したがって、操作の失念及び操作間違いを確実に防止することができる。
【図面の簡単な説明】
【００１２】
【図１】トリップロック用の端子と短絡片との実施の一形態として、（ａ）は外した状態、（ｂ）は接続過程ないし外し過程の状態、（ｃ）は接続した状態をそれぞれ示す正面図。
【図２】図１に示す実施の一形態でのトリップロック用の端子と短絡片との（ａ）は接続過程の状態、（ｂ）は接続状態をそれぞれ示す側面図。
【図３】トリップロック用の端子と短絡片との別の実施の一形態として、（ａ）は接続過程の状態、（ｂ）は接続状態をそれぞれ示す縦断側面図。
【図４】トリップロック用の端子と短絡片との更に別の実施の一形態として、（ａ）は接続過程の状態を示す縦断側面図、（ｂ）はその際の表示器の状態を示す正面図。
【図５】図４に示す実施の一形態での（ａ）は接続状態を示す縦断側面図、（ｂ）はその際の表示器の状態を示す正面図。
【図６】管理装置を示す平面図。
【図７】管理装置に対する短絡片の収納作業を説明するための一部断面にして平面から見た模式図。
【図８】管理装置に対する短絡片の収納作業を説明するための一部断面にして側面から見た模式図。
【図９】管理装置に対する短絡片の収納作業を説明するための一部断面にして正面から見た模式図。
【図１０】管理装置における各部の電気的接続を示すブロック図。
【図１１】短絡片が搭載するＩＣタグが記憶するデータを示す模式図。
【図１２】作業支援装置における各部の電気的接続を示すブロック図。
【図１３】作業支援装置がインストールしているコンピュータプログラムに従い実行する保護継電器のトリップロック端子管理処理の流れを示すフローチャート。
【図１４】操作支援コンピュータからダウンロードした作業データに基づいて作業支援装置が表示する操作票の一例を示す模式図。
【発明を実施するための形態】
【００１３】
実施の形態を図面に基づいて説明する。本実施の形態は、保護継電器のトリップロック用の端子１１（図１〜図５参照）を管理するシステム、方法、コンピュータプログラムに関する。
【００１４】
≪本実施の形態のシステム、方法、コンピュータプログラムの概要≫
本実施の形態において重要な点は、保護継電器のトリップロック用の端子１１とこれを断続する短絡片３１（図１〜図５、図７〜図９参照）とを一対一で対応付け、短絡片３１の外し作業及び接続作業が正しく行われているかどうかを確認可能とすることである。この確認は、短絡片３１にＩＣタグ５１（図３〜図５、図７〜図９参照）を搭載しておき、短絡片３１を追跡可能にすることによって行なう。ＩＣタグ５１には識別データＩＤを記憶させるわけであるが（図１１参照）、この識別データＩＤは、概念的に云うならば、短絡片３１そのものを識別するデータというよりはむしろ、短絡片３１と一対一で対応付けられる端子１１を識別するデータである。何故ならば、本実施の形態では、表層的にはＩＣタグ５１によって短絡片３１を追跡するわけであるが、これによる反射的効果として、トリップロック用の端子１１の状態を管理可能にするからである。つまり、望むことはあくまでも、数多ある保護継電器のトリップロック用の端子１１のうちの対象となる端子１１について、短絡片３１を外したり接続したりしてその断続を制御することにある。この制御のための便法として、端子１１を断続する短絡片３１にＩＣタグ５１を搭載しておき、そのトレーサビリティを確保しているわけである。
【００１５】
では、如何にして短絡片３１を追跡可能とするのか、そして、短絡片３１を追跡することで如何にしてトリップロック用の端子１１の状態を管理可能にするという反射的効果を生じさせるのか。この点について説明する。
【００１６】
短絡片３１を追跡可能とするために、本実施の形態は、管理装置１０１（図６〜図１０参照）と作業支援装置２０１（図１２参照）とを用意している。管理装置１０１は、複数個の短絡片３１を個々に収納し、収納された状態の短絡片３１が搭載するＩＣタグ５１から個々に識別データＩＤを読み出す。作業支援装置２０１は、短絡片３１が搭載するＩＣタグ５１から識別データＩＤを読み出す。こうして、管理装置１０１と作業支援装置２０１とが短絡片３１のＩＣタグ５１から識別データＩＤを読み出すことで、短絡片３１の追跡が可能となる。
【００１７】
短絡片３１を追跡することで如何にしてトリップロック用の端子１１の状態を管理するのかは、作業支援装置２０１の処理に依存している。作業支援装置２０１は、コンピュータであり、インストールしているコンピュータプログラムに従い、端子１１に対する短絡片３１の外し作業と接続作業とに際して、それぞれ次のような処理を実行する。
【００１８】
短絡片３１の外し作業に際しては、二つの処理を行なう。一つは、保護継電器のトリップロック用に設けられている複数個の端子１１から、操作対象となる端子１１を探索する処理である。具体的には、外し作業を行なおうとする短絡片３１のＩＣタグ５１から識別データＩＤを読み取り、それが意図する短絡片３１、換言すると意図する端子１１であるかを確かめるわけである（外し照合処理：図１３のＡＣＴ１１）。もう一つは、端子１１から外して管理装置１０１に収納した短絡片３１が、意図するものであったかどうかを確認する処理である。具体的には、管理装置１０１にＩＣタグ５１から識別データＩＤを読み取らせ、意図する短絡片３１が収納されたことを確認するわけである（収納処理：図１３のＡＣＴ１４）。
【００１９】
短絡片３１の接続作業に際しても、二つの処理を行なう。一つは、これから端子１１に接続しようとする短絡片３１の位置を管理装置１０１に報知させる処理である。具体的には、管理装置１０１にＩＣタグ５１から識別データＩＤを読み取らせ、これによって判明する意図する短絡片３１の位置を報知させるわけである（位置報知処理：図１３のＡＣＴ２１）。もう一つは、管理装置１０１から取り出して端子１１に接続した短絡片３１が、意図するものであったかどうかを確認する処理である。具体的には、端子１１に接続した短絡片３１のＩＣタグ５１から識別データＩＤを読み取り、意図する短絡片３１であるかを確かめるわけである（接続照合処理：図１３のＡＣＴ２３）。
【００２０】
したがって、本実施の形態によれば、端子１１に対する短絡片３１の外し作業及び接続作業に際して、トリップロック用の端子１１から短絡片３１を確実に外したかどうか（収納処理ＡＣＴ１４参照）、あるいは端子１１に対して短絡片３１を確実に接続したかどうか（接続照合処理ＡＣＴ２３参照）、という作業の適切さについてまで判断することができ、操作の失念及び操作間違いを確実に防止することができる。
【００２１】
以上、本実施の形態のシステム、方法、コンピュータプログラムの概要について説明した。以下、より詳しい内容について説明する。概略、
◎端子１１及び短絡片３１の詳細構造（図１ないし図５）
◎管理装置１０１の詳細構造（図６ないし図１０）
◎ＩＣタグ５１の記憶内容（図１１）
◎作業支援装置２０１の詳細構造（図１２）
◎作業支援装置２０１が実行する処理内容（図１３及び図１４）
の順に説明する。
【００２２】
≪端子１１及び短絡片３１の詳細構造≫
端子１１及び短絡片３１の詳細構造について、ここでは三種類の実施の形態を紹介する。一つ目は図１及び図２に基づいて、二つ目は図３に基づいて、三つ目は図４及び図５に基づいて説明する。
【００２３】
一つ目の実施の形態を説明する。図１及び図２に示すように、保護継電器のトリップロック用の端子１１は、端子台１２にボルトＢで固定された一対のものである。一対の端子１１は、それらの端子１１に短絡片３１を掛け渡して締め付け固定することで接続されて閉路となり、それらの端子１１から短絡片３１を外すことで開路（ロック状態）となる。そのための構造として、端子１１は、導電性を有する一対のナット１３ａ、１３ｂを備えている。一方のナット１３ａは、端子台１２に固定される端子基部１４に設けられている。もう一方のナット１３ｂは、端子基部１４に回転自在に設けられた操作部１５のねじ部１６に螺合しており、回転しないよう押えたまま操作部１５を回転させると、ねじ部１６の軸方向に沿って移動し、一方のナット１３ａに対して近接離反する。そこで、短絡片３１の両端に形成したＵ溝３２にねじ部１６に嵌め込ませた状態で操作部１５を時計方向に回転させると、一方のナット１３ａに対してもう一方のナット１３ｂが近接する方向に移動し、短絡片３１を締付け固定する。これが、端子１１と短絡片３１との基本的な構造である。
【００２４】
本実施の形態において特徴的なことは、短絡片３１がＩＣタグ５１を搭載しているということである。ＩＣタグ５１は、短絡片３１の中央部分に設けられた樹脂製のカバー３３に埋め込まれている。
【００２５】
もう一つ特徴的なことは、端子１１と短絡片３１との間に設けられた嵌合構造をなす嵌合部ＥＳである。前述したように、本実施の形態においては、端子１１とこれを断続する短絡片３１とを一対一で対応付けている。この対応付けは、一つには、ＩＣタグ５１に端子１１の識別データＩＤを記憶させることによってなされる。端子１１と短絡片３１との間の嵌合部ＥＳは、それらの対応付けをなすもう一つの手法として採用されている。こうして採用された嵌合部ＥＳは、一対の端子１１の間の部分に位置させて端子台１２に固定された嵌合部材１７の嵌合溝１８と、短絡片３１のカバー３３に形成したその嵌合溝１８に嵌合する嵌合条３４とによって形成されている。嵌合溝１８対する嵌合条３４の嵌合は、短絡片３１のＵ溝３２に端子１１のねじ部１６を嵌め込ませる動作に伴う短絡片３１の移動によってなされる。このような嵌合部ＥＳにおいて重要なことは、ＩＣタグが記憶する識別データＩＤによって識別される端子１１と当該ＩＣタグ５１を搭載する短絡片３１とにおいてのみ形状が適合し嵌合するということである。このような形状適合性は、例えば、嵌合溝１８及び嵌合条３４の数、位置、複数ある場合の配置間隔によって確保することができる。したがって、互いに対応しない端子１１と短絡片３１とを接続しようとすると、嵌合部ＥＳにおいて形状適合性が得られず、その接続が不可能となる。このことは、とりもなおさず、端子１１とこれを断続する短絡片３１とを一対一で対応付けることになる。
【００２６】
二つ目の実施の形態を説明する。一つ目の実施の形態と同一部分は同一符号で示してその説明も省略する。図３に示すように、本実施の形態では、短絡片３１のカバー３３に、ＩＣタグ５１が出没自在に取り付けられている。そのための構造として、カバー３３は、端子１１に接続された状態で正面を向く短絡片３１の読取面ＲＳと端子台１２に対面する裏面との間を貫通する貫通孔３５を形成し、この貫通孔３５にスライダ３６をスライド移動自在に抜け止めし、スライダ３６の先端部にＩＣタグ５１を固定している。ＩＣタグ５１は、円筒状の外装をまとい、ＩＣチップ及びアンテナ（いずれも図示せず）を内蔵している。アンテナは、円筒状の外装において、読取面ＲＳに出現する先端部に配置されている。
【００２７】
スライダ３６は、カバー３３に内蔵したコイルスプリングＳを貫通し、通常はコイルスプリングＳに付勢されて後端部をカバー３３の裏面側に突出させている。この状態でＩＣタグ５１は、貫通孔３５の奥に没した状態となっている。ＩＣタグ５１を読取面ＲＳに出現させるには、後端部を押してスライダ３６を読取面ＲＳの方向にスライド移動させればよい。この動作は、端子１１に短絡片３１を接続させる作業に伴い行なわれる。短絡片３１は、端子１１に接続される際、操作部１５の回転に応じたナット１３ｂの移動に従い端子台１２の方向に移動するわけであるが、この動作によってスライダ３６が後端部を端子台１２の嵌合部材１７に押されてスライド移動し、ＩＣタグ５１を読取面ＲＳに出現させるわけである。
【００２８】
この際、本実施の形態では、一方のナット１３ａも端子基部１４にコイルスプリングＳを介在させて設けておき、端子１１に接続にするに際しての短絡片３１の移動量を増し、スライダ３６のストローク量を稼いでいる。
【００２９】
こうしてＩＣタグ５１は、端子１１に接続された状態で正面を向く短絡片３１の読取面ＲＳに対して出没自在で、読取面ＲＳから離反する方向に付勢され、短絡片３１が端子１１に締め付け固定されるに従い端子１１の端子台１２に押されて読取面ＲＳに出現するように保持される。
【００３０】
三つ目の実施の形態を説明する。二つ目の実施の形態と同一部分は同一符号で示してその説明も省略する。図４及び図５に示すように、本実施の形態では、短絡片３１のカバー３３に形成された読取面ＲＳとＩＣタグ５１とに、短絡片３１が端子１１に正しく締め付け固定された状態で位置合わせされる表示器５２を形成している。表示器５２の仕掛けは、読取面ＲＳに対して出没するＩＣタグ５１の移動運動を回転運動に変換する変換機構５３である。変換機構５３は、カバー３３に形成した貫通孔３５とＩＣタグ５１の外装外周面に形成した螺旋嵌合構造によって実現される。螺旋嵌合構造は互いに嵌り合う螺旋形状の溝と条とによって形成されるわけであるが、貫通孔３５とＩＣタグ５１とのうち、いずれに溝を設けていずれに条を設けるかは、適宜決定すればよい。図４（ａ）では、ＩＣタグ５１に溝を切った一例を示しているが、逆でもよい。
【００３１】
表示器５２は、一例として、読取面ＲＳとＩＣタグ５１とにそれぞれ形成した矢印マークによって実現される。端子１１に短絡片３１を接続するに際して、操作部１５を回転させての短絡片３１の締付け前においては互いの矢印マークが合わず（図４（ｂ）参照）、短絡片３１を正しく締付け固定した状態で互いの矢印マークが位置合わせされる（図５（ｂ）参照）。
【００３２】
≪管理装置１０１の詳細構造≫
管理装置１０１の詳細構造を図６ないし図１０に基づいて説明する。管理装置１０１は、複数個の短絡片３１を個々独立に収納し保管可能な収納保管箱である。管理装置１０１は、収納した短絡片３１が搭載するＩＣタグ５１から記憶データを読み取るＲＦＩＤリーダライタ（ここでは管理リーダ１１１と呼ぶ）を備え、ＩＣタグ５１から読み取った識別データに基づいて個々の短絡片３１の位置を報知する位置報知部１２１を備える（図１０参照）。図６中、１１２は管理リーダ１１１の一部をなすアンテナであり、１２２は位置報知部１２１の一部をなすランプである。管理リーダ１１１に関しては、必要に応じて、ＩＣタグ５１に対するデータの書き込み機能をサポートするリーダライタとしてもよい。
【００３３】
管理装置１０１は、図３に示した二つ目の実施の形態の短絡片３１、あるいは図４及び図５に示した三つ目の実施の形態の短絡片３１の収納に適した構造を有し、複数個の収納凹部１０２、ここでは二列八行で合計１６個の収納凹部１０２を設けている。これらの収納凹部１０２は、短絡片３１を横向きにして収納保持するのに適している。収納凹部１０２は、平板状で横向きにすると薄くなる短絡片３１の端子１１に接続する両端部分の形状に合わせてその収納部分の投影面積を小さく、ＩＣタグ５１を搭載するカバー３３の形状に合わせてその収納部分の投影面積を大きくしている。このような収納凹部１０２中、投影面積を小さくした二箇所の両端部分には、短絡片３１が両端に有しているＵ溝３２を嵌め込むことができるピン１０３を設け、短絡片３１を安定して収納保持できるようにしている。収納凹部１０２の投影面積を大きくした中央部分には、管理リーダ１１１の一部をなすアンテナ１１２を設置している。図６では、二列八行のうちの左最下位置の収納凹部１０２に、短絡片３１を収納保持した状態を示している。
【００３４】
前述したように、二つ目及び三つ目の実施の形態の短絡片３１は、端子１１に正しく締付け固定した状態で初めて、カバー３３に設けた読取面ＲＳにＩＣタグ５１を出現させることができるように構成されている。これは、ＩＣタグ５１とこのＩＣタグ５１から記憶データを読み取るＲＦＩＤリーダライタ（例えば管理リーダ１１１）との間の通信方式として、密着型の近距離無線通信方式のものの使用を想定するものである。そこで、管理装置１０１においてＩＣタグ５１から正しくデータ読み取りをしようとすると、管理リーダ１１１の無線通信感度を高めるか、ＩＣタグ５１を短絡片３１の読取面ＲＳに出現させる構造上の工夫をするか、いずれかの対策が必要となる。本実施の形態では、後者、つまり短絡片３１の読取面ＲＳにＩＣタグ５１を出現させる構造を採用している。
【００３５】
図７ないし図９に示すように、収納凹部１０２は、短絡片３１の収納動作に際してスライダ３６の後端部と干渉する位置に干渉部材１０４を設けている。干渉部材１０４は、図９に示すように、収納凹部１０２の底部に向かうに従いスライダ３６の後端部との干渉を深める傾斜面１０５を形成している。したがって、収納凹部１０２に短絡片３１を収納する際、スライダ３６の後端部は干渉部材１０４に当初柔らかく干渉し、収納凹部１０２の底部に短絡片３１が向かう程その干渉の度合いを強める。短絡片３１が収納凹部１０２に完全に収納保持された状態では、干渉部材１０４に干渉するスライダ３６がスライド移動し、読取面ＲＳから没していたＩＣタグ５１が読取面ＲＳにまで出現する。管理装置１０１は、このときＩＣタグ５１に対面する位置に、管理リーダ１１１のアンテナ１１２を配置している。
【００３６】
図１０に示すように、管理装置１０１は、各部を制御する制御部１３１を備えている。制御部１３１は、一例として、デジタル回路で構成されたシーケンサーであり、予め書き込まれたシーケンスを実行する。別の一例として、マイクロコンピュータで制御部１３１を構成してもよいことは云うまでもない。制御部１３１は、記憶部１３２を有しており、必要なデータを記憶部１３２に適宜蓄える。このような制御部１３１の制御対象は、管理リーダ１１１及び位置報知部１２１である。制御部１３１はまた、インターフェース１３３を介して作業支援装置２０１との間のデータ通信も司る。インターフェース１３３は、通信コネクタ１３４（図６参照）に接続した通信線ＣＬ（図１２参照）を介して、管理装置１０１と作業支援装置２０１との間のデータ通信を実行する通信部の一部をなす。
【００３７】
管理リーダ１１１は、収納凹部１０２に収納保持された短絡片３１が搭載するＩＣタグ５１から記憶データを読み取る。そのために必要なアンテナ１１２は、前述したとおり、個々の収納凹部１０２に一つずつ配置されている。これに対して、アンテナ１１２に接続する無線通信回路１１３は、一つだけ設けられている。制御部１３１は、切換回路１１４によって個々のアンテナ１１２と無線通信回路１１３との接続を切り換え、単一の無線通信回路１１３によって複数個のアンテナ１１２を介した複数個のＩＣタグ５１との近距離無線通信を可能としている。無線通信回路１１３は、ＲＦＩＤ方式による近距離無線通信を実行する一般的な回路なので、その説明は省く。但し、図３に示した二つ目の実施の形態の短絡片３１及び図４及び図５に示した三つ目の実施の形態の短絡片３１が搭載するＩＣタグ５１を無線通信の対象とする場合、密着型の近距離無線通信方式を実行する無線通信回路１１３を採用する。これに対して、図１及び図２に示した一つ目の実施の形態の短絡片３１が搭載するＩＣタグ５１を無線通信の対象とする場合には、通信距離が長くなるため、近接型の近距離無線通信方式を実行する無線通信回路１１３の採用が望ましい。
【００３８】
位置報知部１２１は、収納凹部１０２に収納保持する複数個の短絡片３１のうち、目的とする短絡片３１の収納位置をＬＥＤなどのランプ１２２の点灯によって報知する。そのために、制御部１３１は出力回路１２３に所定のランプ１２２の点灯命令を指令し、これに応じて出力回路１２３が指令を受けたランプ１２２を点灯させる。ランプ１２２は、収納する短絡片３１の位置を報知するためのインターフェースとして採用されているわけであるが、この目的を達成できるデバイスであれば、他のデバイスを用いてもよい。例えば、セブンセグメント表示器や液晶表示器などによる位置特定情報の視覚的な報知、音声合成ＬＳＩとスピーカーとを用いた音声による位置特定情報の聴覚的な報知、点字装置を用いた点字による位置特定情報の触覚的な報知などを採用してもよい。
【００３９】
≪ＩＣタグ５１の記憶内容≫
ＩＣタグ５１の記憶内容を図１１に例示する。ＩＣタグ５１は、保護継電器のトリップロック用の端子１１を識別する識別データＩＤとして、固有データ部を有している。固有データ部には、その端子１１の配置位置を特定するためのデータとして、その端子１１が配置されている電気所、盤固有番号、トリップロック名称を記憶している。これらの記憶データは、一例として、英数字からなる識別コードを実体とし、この識別コードを読んだ機器において特定の価値、例えば人間によって認識可能な電気所、盤固有番号、トリップロック名称という文字記号、あるいは情報処理によって認識可能な認識可能な電気所、盤固有番号、トリップロック名称という価値記号が与えられる。
【００４０】
≪作業支援装置２０１の詳細構造≫
作業支援装置２０１の詳細構造を図１２に基づいて説明する。作業支援装置２０１は、端末リーダ２１１と情報処理部２３１とを有している。
【００４１】
端末リーダ２１１は、ＩＣタグ５１との間でＲＦＩＤ方式の近距離無線通信を確立し、ＩＣタグ５１から識別データＩＤを読み取る。その読み取り方式は、読み取り対象となるＩＣタグ５１の種類に応じて適宜選定される。図３に示した二つ目の実施の形態の短絡片３１及び図４及び図５に示した三つ目の実施の形態の短絡片３１が搭載するＩＣタグ５１を無線通信の対象とする場合、密着型の近距離無線通信方式を実行する端末リーダ２１１を採用する。これに対して、図１及び図２に示した一つ目の実施の形態の短絡片３１が搭載するＩＣタグ５１を無線通信の対象とする場合には、通信距離が長くなるため、近接型の近距離無線通信方式を実行する端末リーダ２１１の採用が望ましい。このような端末リーダ２１１に関しては、必要に応じて、ＩＣタグ５１に対するデータの書き込み機能をサポートするリーダライタとしてもよい。例えば、ＩＣタグ５１の書込みデータ部ＷＤに対して書き込みを行ないたいのであれば、端末リーダ２１１にリーダライタ機能を持たせる必要がある。
【００４２】
情報処理部２３１は、一例として、各種演算処理を実行して各部を集中的に制御するＣＰＵ２３２にＲＯＭ２３３及びＲＡＭ２３４を接続したマイクロコンピュータによって構成可能である。ＲＯＭ２３３は、固定データを記憶する例えばＥＥＰＲＯＭであり、ＲＡＭ２３４は、可変データを記憶して一部の記憶領域をワークエリアとして提供するスタティックＲＡＭである。作業支援装置２０１は、端子１１に対する短絡片３１の外し作業及び接続作業を行なう現場に持ち運べれば便利なため、例えばノートパソコンを用いて実現させることができる。勿論、ハンディターミナルのようなより携帯性に優れた機器に、作業支援装置２０１に求められる機能を凝縮させることも可能である。別の一例としては、マイクロコンピュータによるのではなく、デジタル回路によって構築したシーケンサーを用いて情報処理部２３１を構成してもよい。
【００４３】
もっとも、本実施の形態が一例として挙げる図１２に例示する作業支援装置２０１は、報知部としてのディスプレイ２０２、キーボード２０３及びポインティングデバイス２０４を備え、入出力ポート２３５に端末リーダ２１１を接続させ、インターフェース２３６を介してホストコンピュータ３０１とデータ送受信を行なうノートパソコンである。インターフェース２３６は、作業支援装置２０１の図示しない通信コネクタと管理装置１０１の通信コネクタ１３４とを接続する通信線ＣＬを介して、管理装置１０１との間の通信も媒介する。この意味で、インターフェース２３６は、管理装置１０１と作業支援装置２０１との間のデータ通信を実行する通信部の一部をなす。
【００４４】
作業支援装置２０１は、保護継電器のトリップロック端子管理用のコンピュータプログラムをＨＤＤ２３７にインストールしている。インストールしているプログラムを起動させると、その全部又は一部をＨＤＤ２３５からＲＡＭ２３４にコピーし、コピーしたプログラムに従った処理をＣＰＵ２３２が実行する。保護継電器のトリップロック端子管理用のコンピュータプログラムが起動すると、ＣＰＵ２３２は、図１２に例示する操作ボタン２４１をディスプレイ２０２に表示する。操作ボタン２４１の種類は、「操作票読込」、「操作票呼出」、「操作開始」、「全操作完了」、「操作中断」、及び「操作再開」の六種類である。これらの操作ボタン２４１は、キーボード２０３やポインティングデバイス２０４によって指定可能である。
【００４５】
≪作業支援装置２０１が実行する処理内容≫
作業支援装置２０１のＣＰＵ２３２が、ＨＤＤ２３７にインストールされているコンピュータプログラムに従い実行する処理の内容を、図１３及び図１４に基づいて説明する。
【００４６】
まず、図１３に示すように、作業支援装置２０１のＣＰＵ２３２は、ディスプレイ２０２にガイダンスを表示し、操作ボタン２４１中の「操作票読込」を指定するよう促す。これに応じてユーザが「操作票読込」を指定すると、ＣＰＵ２３２は、ホストコンピュータ３０１から操作票となる作業データのダウンロードを開始する（ＡＣＴ１）。ダウンロードした作業データは、一例としてＨＤＤ２３７に保存され、別の一例としてＲＡＭ２３４に一時記憶される。いずれにしても、記憶領域に記憶されるわけである。
【００４７】
作業データというのは、保護継電器のトリップロック用の端子１１について、作業対象となる端子１１を特定して作業内容を規定するデータである。作業内容は、代表的には、作業対象として特定した端子１１に対する短絡片３１の外し作業又は接続作業を意味している。その他、作業の中断及び再開、管理装置１０１に保管している短絡片３１の照合も、作業内容として規定される。このような作業データは、何処かのコンピュータによって作成され、ホストコンピュータ３０１に登録されている。
【００４８】
次に、作業支援装置２０１のＣＰＵ２３２は、ディスプレイ２０２にガイダンスを表示し、読み込んだ作業データ（操作票）から、所望の操作票を選択し、操作ボタン２４１中の「操作票呼出」を指定するよう促す。これに応じてユーザが「操作票呼出」を指定すると、ＣＰＵ２３２は、指定された操作票をＨＤＤ２３７から呼び出してＲＡＭ２３４にコピーし、ディスプレイ２０２に表示する（ＡＣＴ２）。
【００４９】
図１４は、ディスプレイ２０２に表示された操作票の一例を示している。ユーザは、子の操作票を閲覧することで、これから遂行すべき作業の内容を知ることができる。
【００５０】
次に、作業支援装置２０１のＣＰＵ２３２は、ディスプレイ２０２にガイダンスを表示し、操作ボタン２４１中の「操作開始」を指定するよう促す（ＡＣＴ３）。これに応じてユーザが「操作開始」を指定すると、ＣＰＵ２３２は、ＡＣＴ２で呼び出した操作票のバックグランドをなす作業データに従い、作業対象となる端子１１に対して短絡片３１を外すか接続するかを見極める。
【００５１】
作業支援装置２０１のＣＰＵ２３２は、作業データに含まれているのが短絡片３１の外し指示であった場合、ＡＣＴ１１〜ＡＣＴ１４を実行する。
【００５２】
ＡＣＴ１１は、ＩＣタグ５１の外し照合処理である。この際、ＣＰＵ２３２は、ディスプレイ２０２にガイダンスを表示し、外し作業の対象となる端子１１の場所にユーザを誘う。そして、外し作業の対象となりそうな端子１１の短絡片３１が搭載するＩＣタグ５１から端末リーダ２１１で識別データを読み取るよう案内する。これに応じてユーザがＩＣタグ５１の読み取り操作を行うと、ＣＰＵ２３２は、端子１１から外そうとする短絡片３１が搭載するＩＣタグ５１から端末リーダ２１１で読み取った識別データが、当該外し指示で指定する識別データであるか照合し、その結果をディスプレイ２０２に表示する。これにより、ユーザは、端子１１から外そうとしている短絡片３１が、作業対象として正しいものかどうかを知ることができる。
【００５３】
ＡＣＴ１２は、ＡＣＴ１１の照合の結果、正しい短絡片３１が外されようとしていると判定した場合、ディスプレイ２０２にガイダンスを表示し、その短絡片３１を外し操作するようユーザに促す処理である。
【００５４】
ＡＣＴ１３は、ディスプレイ２０２にガイダンスを表示し、端子１１から外した短絡片３１を管理装置１０１に収納し保管することを、ユーザに促す処理である。
【００５５】
ＡＣＴ１４は、端子１１から外して管理装置１０１に収納した短絡片３１の収納照合処理である。ＣＰＵ２３２は、管理装置１０１とデータ通信し、収納凹部１０２に直近に収納保持された短絡片３１が搭載するＩＣタグ５１から管理リーダ１１１によって識別データを読み取り、その読み取りデータを返信するよう指示する。この指示に応じて管理装置１０１が該当の識別データを読み取り作業支援装置２０１に送信すると、作業支援装置２０１のＣＰＵ２３２は、その識別データが当該外し指示で指定する識別データであるか照合し、その結果をディスプレイ２０２に表示する。これにより、ユーザは、作業データに含まれている外し指示で指定する意図する端子１１から、短絡片３１を確実に外したことを確認することができる。
【００５６】
ここで、管理装置１０１において、直近に収納保持された短絡片３１をそれ以外の短絡片３１から識別できるのは、記憶部１３２に収納データを記憶させているからである。収納データは、個々の収納凹部１０２とそこに収納している短絡片３１との関係を記憶するデータである。管理装置１０１の制御部１３１は、切換回路１１４によって切り替えるアンテナ１１２とこのアンテナ１１２を介して無線通信回路１１３でＩＣタグ５１から読み取った識別データとを対応付けて認識できるので、収納データを生成し、これを記憶部１３２に記憶させておくことができるのである。そこで、制御部１３１は、収納データを参照し、短絡片３１を収納していないはずの収納凹部１０２に設置したアンテナ１１２がＩＣタグ５１と通信を確立すれば、そのＩＣタグ５１を搭載する短絡片３１こそが、直近に収納保持されたものであると判定できるわけである。
【００５７】
作業支援装置２０１のＣＰＵ２３２は、作業データに含まれているのが短絡片３１の接続指示であった場合、ＡＣＴ２１〜ＡＣＴ２３を実行する。
【００５８】
ＡＣＴ２１は、管理装置１０１にて、接続作業の対象となる短絡片３１の位置を報知させる位置報知処理である。ＣＰＵ２３２は、管理装置１０１とデータ通信し、接続作業の対象となる端子１１の識別データを送信し、同一の識別データを記憶するＩＣタグ５１を搭載する短絡片３１の収納保管位置を報知するよう指示する。この指示を受けた管理装置１０１は、切換回路１１４でアンテナ１１２を切り替えながら無線通信回路１１３でＩＣタグ５１から識別データを読み取り、該当するＩＣタグ５１を搭載する短絡片３１を探し出す。そして、位置報知部１２１により、探し出した該当する短絡片３１の位置を示すランプ１２２を点灯させ、目的の短絡片３１の位置を報知する。
【００５９】
ＡＣＴ２２は、ディスプレイ２０２にガイダンスを表示し、ＡＣＴ２１によって報知された短絡片３１を管理装置１０１から取り出し、作業データに基づく操作票で指定された端子１１に接続するようユーザに促す処理である。この時、ユーザは、ディスプレイ２０２に表示されている操作票を閲覧することで、管理装置１０１が報知する短絡片３１をどの端子１１に接続すべきかを知ることができる。しかも、端子１１（端子台１２）と短絡片３１との間に嵌合部ＥＳが設けられているために、端子１１と短絡片３１とは必ず一対一の関係でしか組み合わせることができない。これにより、管理装置１０１から取り出した短絡片３１を間違った端子１１に接続してしまうという不都合を、確実に防止することができる。
【００６０】
ＡＣＴ２３は、端子１１に接続した短絡片３１の接続照合処理である。この際、ＣＰＵ２３２は、ディスプレイ２０２にガイダンスを表示し、端子１１に接続した短絡片３１が搭載するＩＣタグ５１から端末リーダ２１１で識別データを読み取るよう案内する。これに応じてユーザがＩＣタグ５１の読み取り操作を行うと、ＣＰＵ２３２は、端子１１に接続する短絡片３１が搭載するＩＣタグ５１から端末リーダ２１１で読み取った識別データが、当該接続指示で指定する識別データであるか照合し、その結果をディスプレイ２０２に表示する。これにより、ユーザは、作業データに含まれている接続指示で指定する意図する端子１１に対して、短絡片３１を確実に接続したことを確認することができる。
【００６１】
次に、作業支援装置２０１のＣＰＵ２３２は、ＡＣＴ２で呼び出した作業データ中、次に作業対象となる端子１１があれば、ＡＣＴ１１〜ＡＣＴ１４、あるいはＡＣＴ２１〜ＡＣＴ２３の処理を繰り返す。これに対して、操作ボタン２４１中の「全操作完了」、「操作中断」、「操作再開」が選択指定された場合（ＡＣＴ４のＹＥＳ）、「全操作完了」の選択指定でなければ（ＡＣＴ５のＮＯ）、指定の処理を実行し（ＡＣＴ３１）、「全操作完了」の選択指定であった場合には（ＡＣＴ５のＹＥＳ）、全操作を完了する（ＡＣＴ６）。
【００６２】
以上説明したように、本実施の形態によれば、ＡＣＴ１１〜ＡＣＴ１４、ＡＣＴ２１〜ＡＣＴ２３の処理により、トリップロック用の端子１１に対する短絡片３１の外し及び接続の作業に際して、作業の適切さについてまで判断することができ、その結果、操作の失念及び操作間違いを確実に防止することができる。
【００６３】
その他、本実施の形態は、各種の特徴的な構成を備え、これに伴い特有の技術的効果を発生させる。以下、簡単に説明する。
【００６４】
まず、端子１１（端子台１２）と短絡片３１とには、ＩＣタグ５１が記憶する識別データによって識別される端子１１と当該ＩＣタグ５１を搭載する短絡片３１とにおいてのみ形状が適合し嵌合する嵌合部ＥＳが形成されている。これにより、端子１１と短絡片３１とについて、一対一の関係を確保することができる。では、何故そのような一対一の関係を確保しなければならないかというと、本実施の形態においては、端子１１を識別する識別データを、端子１１それ自体ではなく、その端子１１を接続して短絡させる短絡片３１に持たせているからである。つまり、本実施の形態においては、短絡片３１に端子１１の識別データを記憶するＩＣタグ５１を搭載させ、表層的に見るなら、短絡片３１のトレーサビリティを確保している。ところが、本来的に望むことは、短絡片３１それ自体のトレーサビリティではなく、端子１１そのものの状態管理である。この本来的な目的を達成するために本実施の形態では、管理装置１０１を用いて短絡片３１を追跡可能とし、これによって対応する端子１１の状態を反射的に知ることができるようにしている。ここに、本実施の形態の独自性があるわけであるが、その反面、端子１１と短絡片３１とを一対一の関係に維持しなければならないという課題の発生を見る。上記嵌合部ＥＳは、この課題を解決するものである。
【００６５】
次に、図３に示す二つ目の実施の形態、あるいは図４及び図５に示す三つ目の実施の形態に特有の点である。ＩＣタグ５１は、読取面ＲＳに対して出没自在で、読取面ＲＳから離反する方向に付勢され、短絡片３１が端子１１に締め付け固定されるに従い読取面ＲＳに出現するように保持されている。そして、作業支援装置２０１の端末リーダ２１１は、ＩＣタグ５１が読取面ＲＳから没した場合には通信不可能で、読取面ＲＳに出現すると通信可能となる通信距離に設定された密着型の近距離無線通信方式を用いて、ＩＣタグ５１から識別データを読み取る。これにより、端子１１に短絡片３１を接続した際、短絡片３１が確実に締付け固定されているかどうかを判定することができる。その状態でなければ、ＩＣタグ５１から識別データを読み取ることができないからである。
【００６６】
次に、図４及び図５に示す三つ目の実施の形態に特有の点である。端子１１に短絡片３１を接続した際、短絡片３１が確実に締付け固定されているかどうか、表示器５２によっても示される。しかも、表示器５２による場合、短絡片３１が確実に締付け固定されているかどうかが、視覚的に一目瞭然となり、分かり易い。
【００６７】
最後に、作業支援装置２０１においては、短絡片３１の外し作業及び接続作業の作業手順のガイダンスを、報知部としてのディスプレイ２０２に表示するので、ユーザフレンドリーな案内がなされ、この面からも、操作の失念及び操作間違いの防止を図ることができる。
【００６８】
以上、本実施の形態の代表的な勘所を説明した。もっとも、本実施の形態において、各種の変形や変更が可能なことは云うまでもない。
【符号の説明】
【００６９】
１１  端子
３１  短絡片
５１  ＩＣタグ
５２  表示器
５３  変換機構
１０１  管理装置
１１１  管理リーダ
１２１  位置報知部
１３２  インターフェース（通信部）
２０１  作業支援装置
２０２  ディスプレイ（報知部）
２１１  端末リーダ
２３１  情報処理部
２３４  ＲＡＭ（記憶領域）
２３６  インターフェース（通信部）
２３７  ＨＤＤ（記憶領域）
ＥＳ  嵌合部
ＲＳ  読取面
ＡＣＴ１１  外し照合処理
ＡＣＴ１４  収納照合処理
ＡＣＴ２１  位置報知処理
ＡＣＴ２３  接続照合処理
【図１】
2013038851.tif 000003
【図２】
2013038851.tif 000004
【図３】
2013038851.tif 000005
【図４】
2013038851.tif 000006
【図５】
2013038851.tif 000007
【図６】
2013038851.tif 000008
【図７】
2013038851.tif 000009
【図８】
2013038851.tif 000010
【図９】
2013038851.tif 000011
【図１０】
2013038851.tif 000012
【図１１】
2013038851.tif 000013
【図１２】
2013038851.tif 000014
【図１３】
2013038851.tif 000015
【図１４】
2013038851.tif 000016